【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
（Ａ）１０〜２３重量パーセントの少なくとも１つのＣ3−Ｃ7アルキル（メタ）アクリレートと；
（Ｂ）７７〜９０重量パーセントの少なくとも１つのＣ12−Ｃ14アルキル（メタ）アクリレートと；そして
（Ｃ）０〜６重量パーセントの少なくとも１つのＣ16−Ｃ20アルキル（メタ）アクリレートと
を含んでなるアルキル（メタ）アクリレートコポリマー。
【請求項２】
（Ａ）１０〜２３重量パーセントの少なくとも１つのＣ3−Ｃ7アルキル（メタ）アクリレートと；
（Ｂ）７７〜９０重量パーセントの少なくとも１つのＣ12−Ｃ14アルキル（メタ）アクリレートと；そして
（Ｃ）０〜６重量パーセントの少なくとも１つのＣ16−Ｃ20アルキル（メタ）アクリレートと
を含んでなる構成成分を組合わせることにより得られるアルキル（メタ）アクリレートコポリマー製品。
【請求項３】
請求項１または請求項２に記載のコポリマーを潤滑粘度の油に添加することを含んでなる潤滑油を製造する方法。
【請求項４】
（Ａ）潤滑粘度の油と；そして
（Ｂ）請求項１または請求項２に記載のコポリマーと
を含んでなる潤滑油組成物。
【請求項５】
前記方法が請求項１または請求項２に記載のコポリマーを潤滑粘度の油に添加することを含んでなる油の低温特性を改善する方法。
【請求項６】
前記方法が少なくとも１つの添加剤構成成分と請求項１または請求項２に記載のコポリマーを潤滑粘度の油に添加することを含んでなる添加剤構成成分を含有する潤滑油の相溶性を改善する方法。
【請求項７】
前記方法が請求項１または請求項２に記載のコポリマーを潤滑粘度の油に添加することを含んでなる潤滑油の粘度指数を改善する方法。
【請求項８】
（Ａ）潤滑粘度の油と；そして
（Ｂ）請求項１または請求項２に記載のコポリマーと
を含んでなるギア潤滑剤組成物。
【請求項９】
（Ａ）潤滑粘度の油と；
（Ｂ）請求項１または請求項２に記載のコポリマーと；そして
（Ｃ）酸化防止剤、腐食防止剤、摩擦調整剤、耐摩耗性添加剤、極圧剤、清浄剤、分散剤、発泡防止剤、粘度指数向上剤、および流動点降下剤からなる群から選択される少なくとも１つの添加剤と
を含んでなる自動変速機液用組成物。
【請求項１０】
請求項９の組成物を施すことを含んでなる連続可変変速機を潤滑する方法。
【請求項１１】
請求項９の組成物により潤滑される自動変速機を含んでなる車両。
【請求項１２】
請求項９の組成物により潤滑される自動変速機。
【手続補正２】
【補正対象書類名】明細書
【補正対象項目名】００５９
【補正方法】変更
【補正の内容】
【００５９】
本特許権者は、いかなる開示された態様も公共に供することを意図せず、また、いかなる開示された変形または変更も文字どおりに特許請求の範囲内に入らない範囲で、均等物の原則の下に本発明の一部であると考えられる。
本発明の好適な実施の態様は次のとおりである。
１．  （Ａ）約１０〜約２３重量パーセントの少なくとも１つのＣ3−Ｃ7アルキル（メタ）アクリレートと；
（Ｂ）約７７〜約９０重量パーセントの少なくとも１つのＣ12−Ｃ14アルキル（メタ）アクリレートと；そして
（Ｃ）０〜約６重量パーセントの少なくとも１つのＣ16−Ｃ20アルキル（メタ）アクリレートと
を含んでなるアルキル（メタ）アクリレートコポリマー。
２．  （Ａ）約１０〜約２３重量パーセントの少なくとも１つのＣ3−Ｃ7アルキル（メタ）アクリレートと；
（Ｂ）約７７〜約９０重量パーセントの少なくとも１つのＣ12−Ｃ14アルキル（メタ）アクリレートと；そして
（Ｃ）０〜約６重量パーセントの少なくとも１つのＣ16−Ｃ20アルキル（メタ）アクリレートと
を含んでなる構成成分を組合わせることにより得られるアルキル（メタ）アクリレートコポリマー製品。
３．  前記コポリマーが本質的にメチル（メタ）アクリレート単位を含まない上記１または上記２のコポリマー。
４．  前記Ｃ3−Ｃ7アルキル（メタ）アクリレートがブチル（メタ）アクリレートである上記１または上記２のコポリマー。
５．  前記コポリマーが約５，０００〜約５０，０００の平均分子量数を有する上記１または上記２のコポリマー。
６．  上記１または上記２に記載のコポリマーを潤滑粘度の油に添加することを含んでなる潤滑油を製造する方法。
７．  （Ａ）潤滑粘度の油と；そして
（Ｂ）上記１または上記２に記載のコポリマーと
を含んでなる潤滑油組成物。
８．  前記Ｃ3−Ｃ7アルキル（メタ）アクリレートがブチル（メタ）アクリレートである上記７の潤滑油組成物。
９．  前記組成物が本質的にメチル（メタ）アクリレート単位を含まない上記７の潤滑油組成物。
１０．  構成成分（Ｂ）が最終組成物中の油１００重量部当り１〜約３０重量部の活性コポリマーの量で存在する上記７の潤滑油組成物。
１１．  酸化防止剤、腐食防止剤、摩擦調整剤、耐摩耗性添加剤、極圧剤、清浄剤、分散剤、発泡防止剤、更なる粘度指数向上剤、および流動点降下剤からなる群から選択される少なくとも１つの添加剤を更に含んでなる上記７の潤滑油組成物。
１２．  前記方法が上記１または上記２に記載のコポリマーを潤滑粘度の油に添加することを含んでなる油の低温特性を改善する方法。
１３．  前記方法が少なくとも１つの添加剤構成成分と上記１または上記２に記載のコポリマーを潤滑粘度の油に添加することを含んでなる添加剤構成成分を含有する潤滑油の相溶性を改善する方法。
１４．  前記方法が上記１または上記２に記載のコポリマーを潤滑粘度の油に添加することを含んでなる潤滑油の粘度指数を改善する方法。
１５．  （Ａ）潤滑粘度の油と；そして
（Ｂ）上記１または上記２に記載のコポリマーと
を含んでなるギア潤滑剤組成物。
１６．  前記Ｃ3−Ｃ7アルキル（メタ）アクリレートがブチル（メタ）アクリレートである上記１５のギア潤滑剤組成物。
１７．  前記コポリマーが本質的にメチル（メタ）アクリレートを含まない上記１５のギア潤滑剤組成物。
１８．  構成成分（Ｂ）が前記ギア潤滑剤組成物中の重量で活性コポリマーの１〜約３０重量部の量で存在する上記１５のギア潤滑剤組成物。
１９．  （Ａ）潤滑粘度の油と；
（Ｂ）上記１または上記２に記載のコポリマーと；そして
（Ｃ）酸化防止剤、腐食防止剤、摩擦調整剤、耐摩耗性添加剤、極圧剤、清浄剤、分散剤、発泡防止剤、粘度指数向上剤、および流動点降下剤からなる群から選択される少なくとも１つの添加剤と
を含んでなる自動変速機液用組成物。
２０．  上記１９の組成物を施すことを含んでなる連続可変変速機を潤滑する方法。
２１．  前記自動変速機液が２０時間テーパードベアリングせん断試験により測定して１％〜約８０％の範囲のパーセントせん断安定度指数を有する上記１９の組成物。
２２．  前記自動変速機液が２０時間テーパードベアリングせん断試験により測定して１％〜２０％の範囲のパーセントせん断安定度指数を有する上記１９の組成物。
２３．  前記変速機液が連続可変変速機液である上記１９の組成物。
２４．  上記１９の組成物により潤滑される自動変速機を含んでなる車両。
２５．  上記１９の組成物により潤滑される自動変速機。
２６．  前記変速機が連続可変変速機である上記２５の自動変速機。
２７．  構成成分（Ａ）が約１１〜約１８重量パーセントの量で存在する上記１のコポリマー。
２８．  構成成分（Ａ）が約１２〜約１３重量パーセントの量で存在する上記１のコポリマー。